(57)【要約】【課題】スクリュー脱水機を用いて生ゴミの脱水処理を行わせる生ゴミの圧縮処理装置において、繊維質の生ゴミによる排出口の詰まりを解消させる。【構成】生ゴミを移送するスクリュー３を囲んで、多数の脱水孔をそなえたスクリーン筒５と、このスクリーン筒の排出口７にヒンジ８で取り付けた押さえ蓋６と、前記押さえ蓋６を所定の押し付け力でスクリーン筒の排出口７に押し付けるばね１２をそなえた生ゴミの圧縮処理装置において、押さえ蓋６をばね１２に抗して強制的にスクリーン筒の排出口７から離開させる蓋開き装置２０を設け、この蓋開き装置２０を、スクリュー３を駆動するモータ４の過負荷信号２３によって動作させる。【選択図】        図１
2004276046.tif 000002
【特許請求の範囲】
【請求項１】
生ゴミを移送するスクリューを囲んで多数の脱水孔をそなえたスクリーン筒と、スクリーン筒の排出口にヒンジで取り付けた押さえ蓋と、前記押さえ蓋を所定の押し付け力でスクリーン筒に押し付けるばねをそなえた生ゴミの圧縮処理装置において、押さえ蓋をばねに抗してスクリーン筒の排出口から離開させる蓋開き装置を設け、前記蓋開き装置を、スクリューを駆動するモータの過負荷信号によって動作させることを特徴とする生ゴミの圧縮処理装置。
【請求項２】
前記蓋開き装置が、一方端を押さえ蓋に連結したレバーと、レバーの他方端に連結したワイヤと、ワイヤに連結したリニアヘッドで構成されている請求項１の生ゴミ圧縮処理装置。
【請求項３】
前記蓋開き装置が、一方端を押さえ蓋に連結したレバーと、レバーの他方端に連結したワイヤと、ワイヤの巻き取り手段で構成されている請求項１の生ゴミ圧縮処理装置。
【発明の詳細な説明】
【０００１】
【発明の属する技術分野】
本発明は、厨房などから排出される生ゴミを圧縮して脱水処理するスクリュープレス式の脱水機における生ゴミの詰まりを解消する装置に関する。
【０００２】
【従来の技術】
生ゴミを脱水して固形化するためにスクリュー脱水機が用いられているが、このような処理装置として、たとえば、
【特許文献１】実用新案公報昭５７−４２６４０号に示されているように、多数の脱水孔を設けたスクリーン筒の内側にスクリューを設け、スクリーン筒上端の開口部に、ヒンジで取り付けられ、レバーを介してばねでスクリーン筒端に押し当てるようにした押さえ蓋をそなえ、スクリーン筒の下方から供給される生ゴミをスクリューで移送し、前記押さえ蓋に押し付けて圧縮固形化し、固形化された生ゴミがばねに抗して押さえ蓋を押し開いて排出されるようにした処理装置が提案されている。
また、
【特許文献２】特開平１０−３４３８７号で本出願人は、キャベツやごぼうなどの強い繊維質の生ゴミを処理するため、蓋の固形物と接触する面を円錐状にし、スクリューを駆動するモータの過負荷を検出したときは、蓋を軸方向に移動させてスクリーン筒との間隙を大きくし、処理物の排出を容易にする構造を提案した。
【０００３】
なお、
【特許文献３】特開平１０−１６７８６７号には、処理筒内に堆肥化資材を移送するスクリューコンベヤと被処理物を切断し摩擦混錬する回転羽根をそなえ、処理筒の排出口をゲートで閉塞しておき、廃棄物の摩擦混錬に必要な圧力を設定し、スクリューコンベヤの検出圧力が設定した上位値になるとゲートを開くようにしたものが示されている。
また、
【特許文献４】特開平１１−１０４５０４号には、スクリューフィーダで精白ロールに送られる玄米を、精白度に応じて精白ロールでの滞留時間を長くするため、精白室の流出口を閉鎖する抵抗板を設け、この抵抗板を押し付ける引っ張りばねの力を制御部により精白度に応じて調整するようにした精米機の制御装置が示されている。
【０００４】
【発明が解決しようとする課題】
しかるに、生ゴミを圧縮処理して固形化するスクリーン脱水機の排出口を塞ぐ押さえ蓋を、ヒンジで取り付け、ばねで押し付けるようにした場合に、キャベツやごぼうなどの強い繊維質の生ゴミは、スクリーン筒内で繊維質が絡み合って固まったり、脱水孔に絡んで円滑な移動ができなくなって、固形化された生ゴミが押さえ蓋を押し上げられずに開口部の詰まりを生じ、排出ができなくなったり、スクリューが過負荷になってモータを損傷するなどのおそれがある。
【０００５】
このため、前記特許文献２のように、生ゴミの圧縮固形化を行うためのスクリュー脱水機の押さえ蓋をスクリーン筒の軸方向に移動できるように取り付けたものでは、押さえ蓋の調整構造が複雑になる欠点があり実用的でなかった。
また、特許文献３や特許文献４には、スクリューによる移送手段において、処理筒内の圧力を検出して、設定した圧力値に達するとゲートを開くようにした技術が示されているが、いずれも処理室内の処理に必要な圧力を調整するもので、処理物の排出を阻害するゲート付近の詰まりを解消する手段については提案されていない。
【０００６】
本発明は、スクリュー脱水機を用いてゴミを圧縮処理する装置において、スクリューを駆動するモータの過負荷によって生ゴミの詰まりを検出し、排出口の蓋を押し付けるばねの力に抗して強制的に押さえ蓋を開かせ、詰まりを解消する構造を提供することを目的にしている。
【０００７】
【課題を解決するための手段】
このため、生ゴミを移送するスクリューを囲んで、多数の脱水孔をそなえたスクリーン筒と、スクリーン筒の排出口にヒンジで取り付けた押さえ蓋と、前記押さえ蓋を所定の押し付け力でスクリーン筒に押し付けるばねをそなえた生ゴミの圧縮処理装置において、押さえ蓋をばねに抗してスクリーン筒から離開させる蓋開き装置を設け、前記蓋開き装置を、スクリューを駆動するモータの過負荷信号によって動作させることにより、スクリーン筒の排出口付近で詰まった生ゴミが排出口から排出されるようにしている。
なお、この蓋開き装置は、たとえば、一方端を押さえ蓋に連結したレバーの他方端にワイヤを連結し、このワイヤをリニアヘッドなどで引っ張って押さえ蓋を開くように構成されており、スクリューの駆動モータの過負荷信号によって操作させる。なお、ワイヤは巻き取りによって引っ張ってもよく、また、ワイヤをリンク機構に替えることもできる。
【０００８】
【発明の実施の形態】
これを図に示す実施例について説明する。
１は機枠、２は機枠内に設置したスクリュー脱水機の外筒、３は外筒２内のスクリューでモータ４によって回転される。５はスクリュー３を囲むスクリーン筒で多数の脱水孔（図示しない）をそなえている。６はスクリーン筒５の排出口７にヒンジ８で取り付けた押さえ蓋、９は生ゴミの供給口、１０は排水口、１１は押さえ蓋６に連結したレバー、１２はレバー１１の端部と機枠１の取付ピン１３の間に設けたばねで、引っ張りばねを用いており、押さえ蓋６をスクリーン筒５の排出口７に押し付けている。１４は排出シュートである。
２０は前記押さえ蓋６をばね１２に抗して開かせる蓋開き装置で、前記レバー１１に連結したワイヤ２１と、このワイヤ２１を引っ張るリニアヘッド２２をそなえ、前記モータ４の過負荷信号２３により制御器２４からの指令でリニアヘッド２２がワイヤ２１を引っ張るようにしている。
【０００９】
供給口９からスクリーン筒５内に生ゴミが供給されると、モータ４で回転するスクリュー３で排出口７の方に向かって移送され、押さえ蓋６に押し付けられて脱水される。脱水処理された生ゴミは、スクリュー３による移送力で押さえ蓋６を押し上げて排出シュート１４に排出されるが、キャベツやごぼうなどの強い繊維質の生ゴミが供給されると、切断されない繊維質がスクリーン筒５内で絡み合って固まったり、スクリーン筒の脱水孔に絡んで押さえ蓋６を押し上げられずに排出が阻止される。
このような状態になると、モータ４が過負荷になり、過負荷信号２３が制御器２４に送られ、制御器２４からの指令によってリニアヘッド２２が、たとえばラックに噛み合わせたピニオンを回転させ、ワイヤ２１を矢印方向に引っ張り、レバー１１を介してばね１２に抗して押さえ蓋６を強制的に排出口７から開かせ、スクリーン筒５内で固まった生ゴミの固形物を排出させる。
なお、図の実施例では、蓋開き装置２０にワイヤ２１を設けているが、リンク機構にしてもよく、また、リニアヘッド２２に替えてワイヤ２１を巻き取るようにすることもできる。
【００１０】
【発明の効果】
本発明は、生ゴミを移送するスクリューを囲んで、多数の脱水孔をそなえたスクリーン筒と、このスクリーン筒の排出口に押さえ蓋を設けて所定の押し付け力でスクリーン筒の排出口に押し付け、スクリューで移送される生ゴミを圧縮処理する装置において、押さえ蓋を強制的にスクリーン筒の排出口から離開させる蓋開き装置を設け、この蓋開き装置をスクリューの駆動モータの過負荷信号によって動作させるようにしているので、繊維質の生ゴミがスクリーン筒内で固まったときは、押さえ蓋を強制的に開いて固まった生ゴミを排出させることができ、簡単な機構を付加することにより、生ゴミの詰まりを解消させ、脱水処理を効率よく行うことができる効果がある。
【図面の簡単な説明】
【図１】本発明の実施例を示す側断面図である。
【符号の説明】
２  外筒
３  スクリュー
５  スクリーン筒
６  押さえ蓋
７  排出口
８  ヒンジ
９  供給口
１０  排水口
１１  レバー
１２  ばね
２０  蓋開き装置
２１  ワイヤ
２２  リニアヘッド
２３  過負荷信号
２４  制御装置
【図１】
2004276046.tif 000003